(57)【要約】【課題】コンテンツ情報を指定された送信先に再配信する際に、送信先の地域に関連する付加価値情報をコンテンツ情報に付加して送信することができる通信システムを提供する。【解決手段】  送信端末１０と、インターネット２０と、受信端末３０とを有する通信システム１００において、コンテンツデータの再配信をする際に、受信端末を持った利用者の位置情報を識別して、その地域に関連する付加価値情報をコンテンツデータに付与もしくは変換して送信することによって、コンテンツ情報を指定された送信先に再配信する際に、送信先の地域に関連する付加価値情報をコンテンツ情報に付加して送信することができ、またコンテンツ情報と付加情報を同一画面に表示することができる。【選択図】        図１
2006115114.tif 000002
【特許請求の範囲】
【請求項１】
外部から取得したコンテンツデータを指定された送信先に向けて再配信する送信端末と、上記送信端末から送信されたコンテンツデータを受信する受信端末と、上記送信端末からのコンテンツデータを上記受信端末に転送する通信手段とを有する通信システムであって、
上記受信端末は、
上記受信端末の所在位置を判別する位置判別手段と、
上記位置判別手段により得られた位置情報を、上記通信手段を介して上記送信端末に転送する位置情報転送手段とを備え、
上記送信端末は、
上記コンテンツデータの内容を分析するコンテンツ分析手段と、
上記位置判別手段により識別した上記受信端末の所在位置に合わせた付加価値情報を、上記コンテンツデータ内に付与もしくは変換する情報付与手段と、
上記コンテンツ分析手段の分析結果に基づいて、上記コンテンツデータ内に付加価値情報を付与もしくは変換するように上記情報付与手段を制御する制御手段とを備える
ことを特徴とする通信システム。
【請求項２】
上記制御手段は、
付与もしくは変換された上記付加価値情報のデータを元のコンテンツデータと一元化し同一画面上に表示するように制御する
ことを特徴とする請求項１に記載の通信システム。
【請求項３】
上記受信端末には、上記付加価値情報を付加させるか否かを切り替える切換手段をさらに有する
ことを特徴とする請求項１に記載の通信システム。
【請求項４】
位置判別手段は
ＧＰＳ、電話番号、アクセスポイントにより受信端末の位置を判別する
ことを特徴とする請求項１に記載の通信システム。
【請求項５】
上記通信手段には、上記付加価値情報のデータが格納されるサーバを有する
ことを特徴とする請求項１に記載の通信システム。
【発明の詳細な説明】
【技術分野】
【０００１】
この発明は、通信手段を介してテレビ放送・コンテンツデータの再配信をする通信システムに関する。詳しくは、外部から取得したコンテンツ情報を指定された送信先に向けて再配信する送信端末と、この送信端末から送信されたコンテンツ情報を受信する受信端末と、送信端末からのコンテンツ情報を受信端末に転送する通信手段とを有する通信システムにおいて、コンテンツデータの再配信をする際に、受信端末を持った利用者の位置情報を識別して、その地域に関連する付加価値情報をコンテンツデータに付与もしくは変換して送信する構成とすることによって、コンテンツ情報を指定された送信先に再配信する際に、送信先の地域に関連する付加価値情報をコンテンツ情報に付加して送信することができるようにした通信システムに係るものである。
【背景技術】
【０００２】
従来、送信端末が通信手段を介して、外部から取得したコンテンツ情報を指定された送信先の受信端末に向けて再配信する通信システムが提案されている。
【０００３】
例えば、自宅に設置してある送信端末が、テレビ放送や接続されたＤＶＤ等の映像をブロードバンドの通信手段を介して旅行先、出張先で受信端末より視聴できるようなシステムがあった。
【０００４】
図７は、従来の通信システム１の構成例を示す図である。図７に示すように、ホームネットワーク（例えば、無線ＬＡＮ）を利用して、家の中の他の受信端末３で視聴、再生、閲覧することができ、またインターネット４経由で自宅の送信端末２にアクセスして、外出先から受信端末５を用いて放送中のテレビ番組やＡＶコンテンツを受信することができる。
【０００５】
また、録画予約した番組を、放送終了後、外出先ですぐに再生することができる。
【０００６】
また、付加価値情報をインターネット上に公開できるデジタル放送システムが提案されている（例えば、特許文献１参照）
このデジタル放送システムは、デジタル放送と実質的に同じ内容の番組をアナログ放送するアナログ放送手段と、デジタル放送される付加価値情報を所定形式に変換する変換手段と、変換後の付加価値情報をインターネット上に公開する公開手段とを備えるものである。付加価値情報は例えばホームページの公開手段で公開される。テレビの視聴者は通信端末から公開手段にアクセスすることによってデジタル放送される付加価値情報を利用することができる。
【０００７】
【特許文献１】特開２００２−３３５５１０号公報（第２，３頁、第１図）
【発明の開示】
【発明が解決しようとする課題】
【０００８】
しかしながら、上述した通信システム１の場合は、テレビ放送やＤＶＤコンテンツなどを視聴する端末やサービスでは、放送番組中に配信されたデータもしくはＤＶＤなどに収められたデータしか視聴できなかった。
【０００９】
また、従来テレビ放送やＤＶＤコンテンツなどを視聴する際には、放送事業主が配信する情報やコンテンツのみが取得可能であり、利用者の情報の選択権がなかった。
【００１０】
また、上述した特許文献１の場合は、付加価値情報をインターネット上に公開できるが、付加価値情報は一方的に放送されたものであり、利用者の所在地域に合わせた付加価値情報を提供することができない欠点があった。
【００１１】
そこで、この発明は、コンテンツ情報を指定された送信先に再配信する際に、送信先の地域に関連する付加価値情報をコンテンツ情報に付加して送信することができるようにした通信システムを提供することを目的とする。
【課題を解決するための手段】
【００１２】
この発明に係る通信システムは、外部から取得したコンテンツデータを指定された送信先に向けて再配信する送信端末と、送信端末から送信されたコンテンツデータを受信する受信端末と、送信端末からのコンテンツデータを受信端末に転送する通信手段とを有する通信システムであって、受信端末は、受信端末の所在位置を判別する位置判別手段と、位置判別手段により得られた位置情報を、通信手段を介して送信端末に転送する位置情報転送手段とを備え、送信端末は、コンテンツデータの内容を分析するコンテンツ分析手段と、位置判別手段により識別した受信端末の所在位置に合わせた付加価値情報を、コンテンツデータ内に付与もしくは変換する情報付与手段と、コンテンツ分析手段の分析結果に基づいて、コンテンツデータ内に付加価値情報を付与もしくは変換するように情報付与手段を制御する制御手段とを備えるものである。
【００１３】
この発明においては、受信端末は、受信端末の所在地域を判別する地域情報判別手段と、地域情報判別手段により得られた地域情報を通信手段を介して送信端末に転送する転送手段とを備え、また、送信端末は、コンテンツを分析するコンテンツ分析手段と、地域情報判別手段により識別した利用者の地域に合わせた付加価値情報を付与する情報付与手段と、コンテンツ分析手段の分析結果に基づいて、コンテンツ内のデータを付与もしくは変換するように上記情報付与手段を制御する制御手段とを備え、通信手段を介してコンテンツデータの再配信をする際に、受信端末を持った利用者の位置情報を識別して、その地域に関連する付加情報を付与するようになされる。
【００１４】
例えば、制御手段は、制御手段は、付与もしくは変換された付加価値情報のデータを元のコンテンツデータと一元化し同一画面上に表示するように制御する。また例えば、受信端末には、付加価値情報を付加させるか否かを切り替える切換手段をさらに有する。また、位置判別手段はＧＰＳ、電話番号、アクセスポイントにより利用者の位置を判別するようになされる。
【００１５】
これにより、コンテンツ情報を指定された送信先に再配信する際に、送信先の地域に関連する付加価値情報をコンテンツ情報に付加して送信することが可能となる。
【００１６】
また、利用者の所在地域に関連する付加価値情報を送信することができるため、個人の情報取得の自由度を高めるだけではなく、新たな広告や地域情報の提供サービスを構築することが可能となる。
【発明の効果】
【００１７】
この発明によれば、外部から取得したコンテンツ情報を指定された送信先に向けて再配信する送信端末と、送信端末から送信されたコンテンツ情報を受信する受信端末と、送信端末からのコンテンツ情報を受信端末に転送する通信手段とを有する通信システムであって、受信端末は、受信端末の所在地域を判別する地域情報判別手段と、地域情報判別手段により得られた地域情報を通信手段を介して送信端末に転送する転送手段とを備え、また、送信端末は、コンテンツを分析するコンテンツ分析手段と、地域情報判別手段により識別した利用者の地域に合わせた付加価値情報を付与する情報付与手段と、コンテンツ分析手段の分析結果に基づいて、コンテンツ内のデータを付与もしくは変換するように上記情報付与手段を制御する制御手段とを備え、通信手段を介してコンテンツデータの再配信をする際に、受信端末を持った利用者の位置情報を識別して、その地域に関連する付加情報を付与するものであり、コンテンツ情報を指定された送信先に再配信する際に、送信先の地域に関連する付加価値情報をコンテンツ情報に付加して送信することができる。
【００１８】
また、利用者の所在地域に関連する付加情報を送信することができるため、個人の情報取得の自由度を高めるだけではなく、新たな広告や地域情報の提供サービスを構築することができる。
【発明を実施するための最良の形態】
【００１９】
以下、この発明の実施の形態の通信システムについて説明する。
図１は、実施の形態の通信システム１００の構成を示す図である。図１に示すように、この通信システム１００は、送信端末１０と、通信手段としてのインターネット２０と、受信端末３０とから構成されている。
【００２０】
この例では、送信端末１０は、インターネット２０に接続されている。送信端末１０において、インターネットの常時接続環境が必要である。また、受信端末３０は、インターネット２０に接続されている。なお、この受信端末３０は、無線ＬＡＮを介してインターネット２０に接続されるようにしてもよい。また、インターネット２０には、データベースサーバ２１が接続されている。このデータベースサーバ２１に地域に関する付加情報が格納されている。送信端末１０は、データベースサーバ２１から地域に関する付加価値情報を取得することが可能である。
【００２１】
図２は、本発明の実施の形態の送信端末１０の構成を示すブロック図である。
図２に示すように、送信端末１０は、受信部１１と、コンテンツ分析手段１２と、情報付与手段１３と、送信部１４と、制御部１５と、操作部１６とを備える。
【００２２】
受信部１１は、入力されるテレビ放送、ＤＶＤコンテンツデータを受信する手段であり、この受信部１１は、受信端末３０により転送されてきた利用者の所在位置情報、情報変換許諾情報も受信するようになされる。
【００２３】
コンテンツ分析手段１２は、受信部１１により受信したコンテンツデータを分析するものである。このコンテンツ分析手段１２の分析結果によって、データベースサーバ２１から取得した付加価値情報をコンテンツに付与するか、コンテンツ内容を変換するかを判断する。
【００２４】
情報付与手段１３は、受信端末３０により転送されてきた利用者の所在位置情報に対応した付加価値情報を、入力されたテレビ放送、ＤＶＤコンテンツデータに付与するものである。情報付与手段１３は、付加情報をコンテンツに重畳して付加情報を有するコンテンツを形成することができ、また、コンテンツ内容を付加価値情報に変換することができる。
【００２５】
送信部１４は、利用者が付加価値情報を要求しない場合には、入力されるテレビ放送、ＤＶＤコンテンツデータを、インターネットを介して受信端末にそのまま送信する。また、付加価値情報が付加されたコンテンツをインターネットを介して受信端末３０に送信する。
【００２６】
制御部１５は、内部に設けられたＲＯＭ（図示せず）に記憶された制御プログラム情報に従って、内部に設けられたＲＡＭ（図示せず）をワークエリアとして使用しながら、送信端末１０の全体の動作を制御する。
【００２７】
この制御部１５は、受信端末３０からの位置情報に基づいて、データベースサーバ２１にアクセスし、受信端末３０の所在地域に対応する付加価値情報を取得するように制御する。また、制御部１５は、取得した付加価値情報をコンテンツに付加して、またはコンテンツの一部を変更して、付加価値情報を有するコンテンツを送信するように制御する。
【００２８】
操作部１６は、送信端末１０の受信、録画など指示を入力するもので、例えば送信端末１０の本体に設けられる操作パネル、またはリモコン（リモートコントローラ）である。
【００２９】
図３は、送信コンテンツの内容例を示す図である。図３（ａ）は、付加価値情報がコンテンツに重畳される例であり、図３（ｂ）は、コンテンツ内容を付加価値情報に変換した例である。
【００３０】
図３（ａ）に示すように、送信情報はコンテンツ１、コンテンツ２およびコンテンツ３があり、コンテンツ３は付加価値情報が重畳されている。また、図３（ｂ）に示すように、送信情報はコンテンツ１、コンテンツ２および付加価値情報１があり、元のコンテンツ３は付加価値情報に変換された。
【００３１】
図４は、本発明の実施の形態の受信端末３０の構成を示すブロック図である。図４に示すように、受信端末３０は、受信部３１と、表示部３２と、位置判別手段３３と、位置情報転送手段３４と、制御部３５と、切換手段３６と、操作部３７とを備える。
【００３２】
受信部３１は、送信端末１０から送信されてきたコンテンツデータを受信する回路である。この受信部３１は、例えばデスクランブラ、デマルチプレクサ、ＭＰＥＧデコーダ、映像信号処理部、音声信号処理部等を備える。
【００３３】
表示部３２は、例えば液晶パネルである。受信部３１により受信したコンテンツデータは表示部３２の画面上に表示される。
【００３４】
位置判別手段３３は、受信端末３０の所在位置を判別するものである。この位置判別手段３３は、ＧＰＳ、電話番号、アクセスポイントにより利用者の位置を判別するようになされる。例えば、受信端末３０がインターネット２０に接続されると、そのＩＰアドレスが認識され、受信端末３０の所在位置が分かる。
【００３５】
位置情報転送手段３４は、位置判別手段３３により判別された位置情報を、インターネット２０を介して送信端末１０に送信するようになされる。
【００３６】
制御部３５は、内部に設けられたＲＯＭ（図示せず）に記憶された制御プログラム情報に従って、内部に設けられたＲＡＭ（図示せず）をワークエリアとして使用しながら、切換手段３６および操作部３７から入力された指示に基づいて、受信端末３０の全体の動作を制御する。
【００３７】
切換手段３６は、例えば、受信端末３０の本体または操作部に設けられた付加情報を付加させるか否かを切り換える切り替えスイッチである。この切換手段３６を用いて利用者が自由に付加価値情報の有無を選択することができる。
【００３８】
操作部３７は、受信端末３０の受信、録画など指示を入力するもので、例えば受信端末３０の本体に設けられる操作パネルである。
【００３９】
図５は、受信端末の画面表示例を示す図である。図５に示すように、コンテンツ表示画面の右上に付加価値情報「今日のパリの天気：晴れ、明日のパリの天気：曇りのち晴れ」が表示され、またコンテンツ表示画面の右下に付加価値情報「Ｐａｒｉでのお買い得情報・・・」が表示されている。これは、上述した付加価値情報がコンテンツに重畳される場合の表示例である。なお、コンテンツ内容を付加価値情報に変換する場合は、例えばテレビ放送の広告部分を付加価値情報に変換し送信するものであり、広告のときに、表示画面には付加価値情報が表示される。
【００４０】
続いて、図６を参照しながら、本発明に係る通信システム１００の動作例について説明する。図６は、通信システム１００の動作を示すフローチャートである。
【００４１】
図６に示すように、コンテンツデータの再配信をする際に、まず、ステップＳ１で、受信端末３０は、インターネット２０に接続され、送信端末１０にアクセスする。
【００４２】
ステップＳ２で、送信端末１０は受信端末３０を認証する。ここで、認証が成立しなかった場合には、動作を終了する。ここで、受信端末３０が認証されると通信成立する。
【００４３】
次に、ステップＳ３で、受信端末３０は、位置情報を送信端末１０に転送する。そして、ステップＳ４で、受信端末３０側で視聴しようとするコンテンツを選択する。
【００４４】
ステップＳ５で、送信端末１０が受信端末３０から転送されてきた位置情報を受信する。
【００４５】
次に、ステップＳ６で、受信端末３０から転送されてきた情報に基づいて、付加価値情報が必要か否かを判別する。ここで、利用者は切換手段３６で付加価値情報不要と設定した場合、送信端末１０では付加価値情報が必要ではないと判別する。なお、利用者は切換手段３６で付加価値情報必要と設定した場合、送信端末１０では付加価値情報が必要であると判別する。
【００４６】
次に、ステップＳ７で、位置情報に基づいてデータベースサーバ２１にアクセスし、受信した位置情報の地域に対応する付加価値情報を取得する。
【００４７】
ステップＳ８で、送信しようとするコンテンツ内容を分析する。次に、ステップＳ９で、付加価値情報を所定のコンテンツに付与する。ここで、ステップＳ８での分析結果によって、付加価値情報がコンテンツに重畳される。または、コンテンツ内容を付加価値情報に変換するようになされる。
【００４８】
ステップＳ１０で、受信端末３０の所在地域に対応する付加価値情報を有するコンテンツを受信端末３０に送信する。
【００４９】
次に、ステップＳ１１で、受信端末３０は送信端末１０から送信されてきたコンテンツを受信する。そして、ステップＳ１２で、受信したコンテンツを表示部３２の画面上に表示する。ここで、付加価値情報がコンテンツに重畳された場合、コンテンツと付加価値情報を同時に画面上に表示する（図５参照）。
【００５０】
次に、ステップＳ１３で、受信終了か否かを判断する。ここで、利用者が受信終了の指示を入力した場合は、動作を終了する。利用者が受信終了の指示を入力しない場合は、ステップＳ７に戻り、上述したステップ７からの動作を繰り返す。
【００５１】
このように本実施の形態においては、送信端末１０と、インターネット２０と、受信端末３０とを有する通信システム１００において、送信端末１０は、受信部１１と、コンテンツ分析手段１２と、情報付与手段１３と、送信部１４と、制御部１５と、操作部１６とを備え、受信端末３０は、受信部３１と、表示部３２と、位置判別手段３３と、位置情報転送手段３４と、制御部３５と、切換手段３６と、操作部３７とを備える。送信端末１０からインターネット２０を介してコンテンツデータの再配信をする際に、受信端末３０を持った利用者の位置情報を識別して、その地域に関連する付加価値情報を付与して送信するようになされる。
【００５２】
これにより、コンテンツ情報を指定された送信先に再配信する際に、送信先の地域に関連する付加価値情報を付加して送信することができ、また、コンテンツ情報と付加価値情報を同一画面に表示することができる。
【００５３】
また、利用者の所在地域に関連する付加価値情報を送信することができるため、個人の情報取得の自由度を高めるだけではなく、新たな広告や地域情報の提供サービスを構築することができる。
【００５４】
また、海外などで視聴している場合、現地の天気や緊急時のアクセス先などの情報など利用者（視聴者）が必要とするサービスを必要な言語で提供することができるので、ビジネスだけではなく、新しい視聴の手段を提供することが可能である。
【００５５】
なお、上述実施の形態においては、受信端末３０は直接にインターネット２０に接続されるものとしたが、これに限定されるものではない。受信端末３０を、例えば無線ＬＡＮを介してインターネット２０に接続するようにしてもよい。
【００５６】
また、上述実施の形態においては、送信端末１０と受信端末３０はインターネット２０を介して通信を行うものとしたが、これに限定されるものではない。他の無線通信手段を介してもよい。
【００５７】
また、上述実施の形態においては、受信端末として１個の受信端末３０を有するものについて説明したが、これに限定されるものではない。複数の受信端末を有する通信システムにもこの発明を適用できる。
【００５８】
また、上述実施の形態においては、データベースサーバ２１はインターネット２０上に設けたものであるが、これに限定されるものではない。例えば、データベースサーバ２１を送信端末１０側に設けてもよい。またはデータベースサーバ２１を送信端末１０と一体にしてもよい。
【００５９】
また、上述実施の形態においては、送信端末１０には、テレビ放送受信チューナを設けてもよい。
【産業上の利用可能性】
【００６０】
以上のように、この発明に係る通信システムは、通信手段を介してテレビ放送・コンテンツデータの再配信をする際に、送信先の地域に関する付加価値情報を付加して送信する通信システムに適用できる。
【図面の簡単な説明】
【００６１】
【図１】実施の形態の通信システムの構成例を示す図である。
【図２】送信端末の構成例を示すブロック図である。
【図３】送信コンテンツの内容を示す図である。
【図４】受信端末の構成例を示すブロック図である。
【図５】受信端末の画面表示例を示す図である。
【図６】通信システムの動作例を示すフローチャートである。
【図７】従来の通信システムの構成例を示す図である。
【符号の説明】
【００６２】
１０・・・送信端末、１１，３１・・・受信部、１２・・・コンテンツ分析手段、１３・・・情報付与手段、１４・・・送信部、１５，３５・・・制御部、１６，３７・・・操作部、２０・・・インターネット、２１・・・データベースサーバ、３０・・・受信端末、３２・・・表示部、３３・・・位置判別手段、３４・・・位置情報転送手段、３６・・・切換手段、１００・・・通信システム
【図１】
2006115114.tif 000003
【図２】
2006115114.tif 000004
【図３】
2006115114.tif 000005
【図４】
2006115114.tif 000006
【図５】
2006115114.tif 000007
【図６】
2006115114.tif 000008
【図７】
2006115114.tif 000009